(57)【要約】【課題】家畜飼料添加材を用いた新規な脱臭剤及び脱臭法を得る。【解決手段】家畜の飼料に混ぜて与えることにより家畜の糞尿の悪臭を低減させる家畜飼料添加材に含まれる微生物を培養した培養液が有効成分として含まれていることを特徴とするもの。具体的には、微生物が、バチルス・リケニフォルミス（Ｂａｃｉｌｌｕｓ  ｌｉｃｈｅｎｉｆｏｒｍｉｓ）ＳＩＩＤ１７７７−４ｂ（ＦＥＲＭ  Ｐ−１８９９０），バチルス・グループ・バクテリウム（Ｂａｃｉｌｌｕｓ  ｇｒｏｕｐ  ｂａｃｔｅｒｉｕｍ）ＳＩＩＤ１７７７−２ｂ（ＦＥＲＭ  Ｐ−１９０４９），バチルス・グループ・バクテリウム（Ｂａｃｉｌｌｕｓ  ｇｒｏｕｐ  ｂａｃｔｅｒｉｕｍ）ＳＩＩＤ１７７７−３ｂ（ＦＥＲＭＰ−１９０５０），バチルス・グループ・バクテリウム（Ｂａｃｉｌｌｕｓ  ｇｒｏｕｐ  ｂａｃｔｅｒｉｕｍ）ＳＩＩＤ１７７７−５ｂ（ＦＥＲＭ  Ｐ−１９０５１）及びバチルス・グループ・バクテリウム（Ｂａｃｉｌｌｕｓ  ｇｒｏｕｐ  ｂａｃｔｅｒｉｕｍ）ＳＩＩＤ１７７７−６ｂ（ＦＥＲＭ  Ｐ−１９０５２）から選ばれた１種以上が挙げられる。【選択図】      なし【特許請求の範囲】
【請求項１】
家畜の飼料に混ぜて与えることにより家畜の糞尿の悪臭を低減させる家畜飼料添加材に含まれる微生物を培養した培養液が有効成分として含まれていることを特徴とする脱臭剤。
【請求項２】
前記微生物が、バチルス・リケニフォルミス（Ｂａｃｉｌｌｕｓ  ｌｉｃｈｅｎｉｆｏｒｍｉｓ）ＳＩＩＤ１７７７−４ｂ（ＦＥＲＭ  Ｐ−１８９９０），バチルス・グループ・バクテリウム（Ｂａｃｉｌｌｕｓ  ｇｒｏｕｐ  ｂａｃｔｅｒｉｕｍ）ＳＩＩＤ１７７７−２ｂ（ＦＥＲＭ  Ｐ−１９０４９），バチルス・グループ・バクテリウム（Ｂａｃｉｌｌｕｓ  ｇｒｏｕｐ  ｂａｃｔｅｒｉｕｍ）ＳＩＩＤ１７７７−３ｂ（ＦＥＲＭ  Ｐ−１９０５０），バチルス・グループ・バクテリウム（Ｂａｃｉｌｌｕｓ  ｇｒｏｕｐ  ｂａｃｔｅｒｉｕｍ）ＳＩＩＤ１７７７−５ｂ（ＦＥＲＭ  Ｐ−１９０５１）及びバチルス・グループ・バクテリウム（Ｂａｃｉｌｌｕｓ  ｇｒｏｕｐ  ｂａｃｔｅｒｉｕｍ）ＳＩＩＤ１７７７−６ｂ（ＦＥＲＭ  Ｐ−１９０５２）から選ばれた１種以上であることを特徴とする請求項１に記載の脱臭剤。
【請求項３】
請求項１又は２に記載された脱臭剤を悪臭発生源に施すことを特徴とする脱臭法。
【請求項４】
請求項１又は２に記載された脱臭剤を畜舎・堆肥舎内に噴霧することを特徴とする脱臭法。
【請求項５】
請求項１又は２に記載された脱臭剤を室内の臭気を室外へ排気する排気ブロワー中に噴霧することを特徴とする脱臭法。
【請求項６】
請求項１又は２に記載された脱臭剤を衛生車の吸引手段から排出される排気中に噴霧することを特徴とする脱臭法。
【発明の詳細な説明】
【０００１】
【発明の属する技術分野】
本発明は例えばトイレ、衛生車（所謂、バキュームカー）等の悪臭源である糞尿や、畜糞の悪臭が漂う畜舎・堆肥舎等の悪臭を除去する脱臭剤及び脱臭法に関するものである。
【０００２】
【従来の技術】
牛・豚・鶏等の家畜の飼料に混ぜて与えることにより家畜の糞尿の悪臭を低減させる家畜飼料添加材が提案（乳酸桿菌の特許文献１及び宮入菌と納豆菌とを用いた特許文献２）されている。また、本出願人が市販している土中のバチルス属菌から分離した商品名「バイオン（篠原精機株式会社製）」についても、牛・豚・鶏等の家畜の飼料に混ぜて与えることにより家畜の糞尿の悪臭を低減させる家畜飼料添加材ではあるが、この家畜飼料添加材は、生ゴミに直接散布することにより、消臭する効果も確認している。
【０００３】
この家畜飼料添加材は、豆腐の搾り粕（即ち、おから）にバチルス属菌を繁殖させたものであり、この家畜飼料添加材を牛・豚・鶏に与える飼料に１〜３％混合するか、ふりかけて用いる。バチルス属菌により、家畜の発育を助け、乳量の増加、肉質の改善、産卵率の向上の効果と共に、糞尿の悪臭防止効果がある。
【０００４】
一方、微生物の培養液を有効成分とする脱臭剤も提案されている。例えば、バチルス属、エンテロバクター属、ストレプトコッカス属、アルカリゲネス属、及びクレブシェラ属よりなる群から選ばれる少なくとも１種よりなるもの（特許文献３）が挙げられる。
【０００５】
【特許文献１】
特開昭６０−１４９５２７号公報
【０００６】
【特許文献２】
特開平１−１４６５５６号公報
【０００７】
【特許文献３】
特開平７−７５６６５号公報
【０００８】
【発明が解決しようとする課題】
しかしながら、家畜の糞尿の悪臭を低減させる家畜飼料添加材に含まれる微生物を培養した培養液自体に脱臭効果があることは何ら開示のないことである。また逆に、微生物の培養液を有効成分とする脱臭剤の前記微生物が家畜の飼料に添加されうるべきものとは何ら開示のないことである。
【０００９】
本発明は、家畜飼料添加材を用いた新規な脱臭剤及び脱臭法を得ることを目的とする。
【００１０】
【課題を解決するための手段】
請求項１に記載された発明に係る脱臭剤は、家畜の飼料に混ぜて与えることにより家畜の糞尿の悪臭を低減させる家畜飼料添加材に含まれる微生物を培養した培養液が有効成分として含まれていることを特徴とするものである。
【００１１】
請求項２に記載された発明に係る脱臭剤は、請求項１に記載の微生物が、バチルス・リケニフォルミス（Ｂａｃｉｌｌｕｓ  ｌｉｃｈｅｎｉｆｏｒｍｉｓ）ＳＩＩＤ１７７７−４ｂ（ＦＥＲＭ  Ｐ−１８９９０），バチルス・グループ・バクテリウム（Ｂａｃｉｌｌｕｓ  ｇｒｏｕｐ  ｂａｃｔｅｒｉｕｍ）ＳＩＩＤ１７７７−２ｂ（ＦＥＲＭ  Ｐ−１９０４９），バチルス・グループ・バクテリウム（Ｂａｃｉｌｌｕｓ  ｇｒｏｕｐ  ｂａｃｔｅｒｉｕｍ）ＳＩＩＤ１７７７−３ｂ（ＦＥＲＭ  Ｐ−１９０５０），バチルス・グループ・バクテリウム（Ｂａｃｉｌｌｕｓ  ｇｒｏｕｐ  ｂａｃｔｅｒｉｕｍ）ＳＩＩＤ１７７７−５ｂ（ＦＥＲＭ  Ｐ−１９０５１）及びバチルス・グループ・バクテリウム（Ｂａｃｉｌｌｕｓ  ｇｒｏｕｐ  ｂａｃｔｅｒｉｕｍ）ＳＩＩＤ１７７７−６ｂ（ＦＥＲＭ  Ｐ−１９０５２）から選ばれた１種以上であることを特徴とするものである。
【００１２】
請求項３に記載された発明に係る脱臭法は、請求項１又は２に記載された脱臭剤を悪臭発生源に施すことを特徴とする方法である。
【００１３】
請求項４に記載された発明に係る脱臭法は、請求項１又は２に記載された脱臭剤を畜舎・堆肥舎内に噴霧することを特徴とする方法である。
【００１４】
請求項５に記載された発明に係る脱臭法は、請求項１又は２に記載された脱臭剤を室内の臭気を室外へ排気する排気ブロワー中に噴霧することを特徴とする方法である。
【００１５】
請求項６に記載された発明に係る脱臭法は、請求項１又は２に記載された脱臭剤を衛生車の吸引手段から排出される排気中に噴霧することを特徴とする方法である。
【００１６】
【発明の実施の形態】
本発明においては、家畜の飼料に混ぜて与えることにより家畜の糞尿の悪臭を低減させる家畜飼料添加材に含まれる微生物を培養した培養液が有効成分として含まれている脱臭剤である。より詳しくは、本発明での具体的な微生物が、バチルス・リケニフォルミス（Ｂａｃｉｌｌｕｓ  ｌｉｃｈｅｎｉｆｏｒｍｉｓ）ＳＩＩＤ１７７７−４ｂ（ＦＥＲＭ  Ｐ−１８９９０），バチルス・グループ・バクテリウム（Ｂａｃｉｌｌｕｓ  ｇｒｏｕｐ  ｂａｃｔｅｒｉｕｍ）ＳＩＩＤ１７７７−２ｂ（ＦＥＲＭ  Ｐ−１９０４９），バチルス・グループ・バクテリウム（Ｂａｃｉｌｌｕｓ  ｇｒｏｕｐ  ｂａｃｔｅｒｉｕｍ）ＳＩＩＤ１７７７−３ｂ（ＦＥＲＭ  Ｐ−１９０５０），バチルス・グループ・バクテリウム（Ｂａｃｉｌｌｕｓ  ｇｒｏｕｐ  ｂａｃｔｅｒｉｕｍ）ＳＩＩＤ１７７７−５ｂ（ＦＥＲＭ  Ｐ−１９０５１）及びバチルス・グループ・バクテリウム（Ｂａｃｉｌｌｕｓ  ｇｒｏｕｐ  ｂａｃｔｅｒｉｕｍ）ＳＩＩＤ１７７７−６ｂ（ＦＥＲＭ  Ｐ−１９０５２）から選ばれた１種以上であるものを開示する。
【００１７】
尚、本発明のバチルス・リケニフォルミス（Ｂａｃｉｌｌｕｓ  ｌｉｃｈｅｎｉｆｏｒｍｉｓ）ＳＩＩＤ１７７７−４ｂ（ＦＥＲＭ  Ｐ−１８９９０）は産業技術総合研究所微生物寄託センターで平成１４年８月２９日付けで既に寄託済であり、バチルス・グループ・バクテリウム（Ｂａｃｉｌｌｕｓ  ｇｒｏｕｐ  ｂａｃｔｅｒｉｕｍ）ＳＩＩＤ１７７７−２ｂ（ＦＥＲＭ  Ｐ−１９０４９）、バチルス・グループ・バクテリウム（Ｂａｃｉｌｌｕｓ  ｇｒｏｕｐ  ｂａｃｔｅｒｉｕｍ）ＳＩＩＤ１７７７−３ｂ（ＦＥＲＭ  Ｐ−１９０５０）、バチルス・グループ・バクテリウム（Ｂａｃｉｌｌｕｓ  ｇｒｏｕｐ  ｂａｃｔｅｒｉｕｍ）ＳＩＩＤ１７７７−５ｂ（ＦＥＲＭ  Ｐ−１９０５１）及びバチルス・グループ・バクテリウム（Ｂａｃｉｌｌｕｓ  ｇｒｏｕｐ  ｂａｃｔｅｒｉｕｍ）ＳＩＩＤ１７７７−６ｂ（ＦＥＲＭ  Ｐ−１９０５２）は、各々同じく微生物寄託センターで平成１４年１０月２日付けで既に寄託済である。
【００１８】
本発明の家畜の飼料に混ぜて与えることにより家畜の糞尿の悪臭を低減させる家畜飼料添加材とは、本出願人が既に市販している家畜飼料添加材（商品名「バイオン（篠原精機株式会社製）」）であり、アンモニアを分解可能なバチルス属菌を豆腐の搾り粕であるオカラ及びフスマ等で培養させた家畜飼料添加材であり、既に農林水産省へ安全性確認試験報告を届けているものである。
【００１９】
本発明者は、先の家畜飼料添加材に家畜の乳量の増加、肉質・卵質の改善効果とは別に畜舎や糞尿の悪臭改善効果があることを見出しており、先の家畜飼料添加材に含まれる微生物を培養した培養液に絶大な消臭効果を見出して本発明に至ったものである。
【００２０】
培養液は、先の家畜飼料添加材に含まれる微生物を培養したものであればよい。具体的には、先の家畜飼料添加材１０ｇを炭素源及び窒素源の栄養源としての糖蜜を１ｗｔ％〜５ｗｔ％添加した清水２０リットルに添加し、２５〜５５℃で攪拌培養し、１×１０７  〜１×１０８  ＣＦＵ／ｍｌまで培養する。この培養液を原液又は最大２０倍に希釈して脱臭剤として用いる。尚、栄養源としての糖蜜の他に、肉エキス，ブドウ糖等を用いても良い。
【００２１】
得られた培養液は成育している微生物を濾過、遠心分離等で除去して用いることもできるが、散布場所が家畜の飼育場所であるのならば、微生物を培養したまま用いても差し支えない。何故ならば、培養された微生物は家畜の飼料に混ぜて与えることにより家畜の糞尿の悪臭を低減させる家畜飼料添加材に含まれる微生物だからである。
【００２２】
このようにして得られた脱臭剤を悪臭発生源に施すことにより悪臭を除去する。具体的には、悪臭発生源に滴定しても良いが、悪臭発生源に噴霧する方が広範囲に均一に適用されるため、悪臭除去効果が高い。
【００２３】
例えば、畜舎・堆肥舎などの悪臭が充満している屋内においては、広範囲に噴霧して散布することにより、悪臭を除去できる。より具体的には、畜舎・堆肥舎などの屋内に１つ以上のスプリンクラー等の噴霧手段を配し、タイマー等で一定時間毎に噴霧する。
【００２４】
また、室内の臭気を室外へ排気する排気ブロワーを備えた施設では、排気ブロワー中に脱臭剤を噴霧する。噴霧手段はブロワー通路を横切るように１つ以上、好ましくは複数の噴霧手段を配して噴霧された脱臭剤がブロワーを流れる排気に行き渡るように配する。例えば、ブロワー通路に沿って螺旋状に複数の噴霧手段を配しても良いが、同一周上に複数の噴霧手段を配したものを１つ又は複数積層させて配することにより、屋外へ排気される排気の臭気がほぼ完全に喪失する。
【００２５】
更に、本発明の脱臭剤は、衛生車（所謂、バキュームカー）の吸引手段から排出される排気中に噴霧することにより、糞尿を悪臭源とする悪臭を脱臭することができる。具体的には、吸引手段としての真空ポンプの排気が通過する排気通路内に脱臭剤を噴霧する噴霧手段を備える。尚、噴霧手段とは別に排気が通過可能な木材チップ等の保持材に脱臭剤を添加しても良い。
【００２６】
【実施例】
実施例１．脱臭剤の調製
篠原精機株式会社製の家畜飼料添加材（商品名「バイオン」）１０ｇと、炭素源及び窒素源の栄養源としての糖蜜１００ｇとを、塩素を含まない清水２０リットルに添加し、２５〜５５℃で攪拌培養した。１２〜２４時間で、生菌数１×１０７  〜１×１０８  ＣＦＵ／ｍｌまで培養した。この培養液を原液又は１０倍〜２０倍に希釈して脱臭剤を調整した。
【００２７】
実施例２．畜糞による脱臭効果の検証
実施例１で得られた脱臭剤を用いて、脱臭効果を検証した。牛糞を密閉容器に入れてその容器内の空気を採取して、アンモニア、硫化水素、メチルメルカプタン、トリメチルアミン及びｐＨを計測した。脱臭剤を牛糞約１００ｇの表面に均一に分散されるように約２０ｍｌ噴霧した。５分後、容器内の空気を採取して、アンモニア、硫化水素、メチルメルカプタン、トリメチルアミン及びｐＨを計測した。結果を次の表１に示す。尚、比較例として散布する液体を水道水としたもの（他の条件は同じ）を示す。
【００２８】
【表１】
2004160071.tif 000002
【００２９】
【表２】
2004160071.tif 000003
【００３０】
また、鶏糞についても同様の実験を行い、アンモニア、硫化水素、メチルメルカプタン、トリメチルアミン及びｐＨを計測した。結果を表２に示す。尚、比較例として散布する液体を水道水としたもの（他の条件は同じ）を示す。
【００３１】
表１及び表２に示す通り、個々の畜糞の臭気は殆ど除去できた。また、比較例の水道水の噴霧では、個々の畜糞の臭気に殆ど効果がなかった。
【００３２】
実施例３．牧場での脱臭
牛１８頭を擁する牧場の脱臭を行った。悪臭の発生源としては飼育舎の糞尿受け桶と堆肥置き場とが挙げられた。この糞尿受け桶の上部に桶を囲むように６つの扇形噴霧ノズルを配し、堆肥置き場室内の４方の壁に各々４つの細霧ノズルを配し、高圧ポンプの駆動を１日３回、各々のノズルから実施例１で得られた脱臭剤を各１秒噴霧した。その結果、数秒で悪臭は完全に消失し、効果は６〜１２時間持続した。
【００３３】
また、牧場の牛舎内の空気を室外へ放出する排気ブロワーに脱臭装置を配して排気の脱臭を行った。図１は排気ブロワーに配される脱臭装置の説明図である。ａ図の断面図に示す通り、排気ブロワーの排気口１１に沿って形成された排気路１２内周囲から実施例１で得られた脱臭剤を噴霧するスプレーノズル１３が３列配されている。ｂ図の正面図に示す通り、スプレーノズル１３は各々の列に周囲に６個均等に配されている。これらノズル１３によって排気中に噴霧され開放口１４から大気に開放される。
【００３４】
図２は排気ブロワーに配される別の脱臭装置の説明図である。図１と同様に、排気ブロワーの排気口２１に沿って形成された排気路２２内周囲から実施例１で得られた脱臭剤を噴霧する周方向に６個のスプレーノズル２３が３列配されている。排気路１２の出口はその下方に配された吸着室２４の吸着材層２５を通過し、余分な脱臭剤を落として、出口２６から大気に開放される。吸着材層２５で捕集された脱臭剤を吸着室２４の下方の脱臭液回収タンク２７に貯められ、ポンプ２８によって再度スプレーノズル２３に給液される。吸着材層２５としては、噴霧された気体中から余分な脱臭剤を捕集するものであれば良く、流速を低下させるものであればよい。例えば、木材チップ、小石、プラスチック片等を充填すればよい。これら脱臭装置によって、牛舎内の臭気が外部に排出される前に脱臭される。
【００３５】
実施例４．衛生車の真空ポンプの排気での脱臭
図３は衛生車（所謂、バキュームカー）の真空ポンプからの排気管路中に取付ける脱臭装置の構成を示す説明図である。衛生車の真空ポンプは糞尿を貯蔵する貯蔵タンクに連通し、このタンク内の気圧を陰圧にすることにより、吸引管から糞尿を吸引して、貯蔵タンクに導く構成であるため、真空ポンプの排気には糞尿を悪臭源とした悪臭がある。
【００３６】
図３に示す通り、排気管３２を通った排気は脱臭装置３１の上部から下部の排気管３２へ通過する。装置３１内に入った排気は邪魔板３３で直下方向への進行を阻止される。一方、邪魔板３３の直下に配された噴霧ノズル３４は実施例１で調製された脱臭剤を上方へ噴霧する。この際に、脱臭剤による排気の脱臭が行われる。
【００３７】
噴霧ノズル３４の下方で、目通し板３５の上部には木材チップ３６が積層され、噴霧ノズル３４で噴霧された脱臭剤が凝結してこの木材チップ３６に注がれ、濡れた状態となる。このチップ３６間を排気が通過する際に、更に脱臭されて下部側方の排気管３２から外部に排出される。
【００３８】
脱臭装置３１の下部には木材チップ３６を通過した脱臭剤を脱臭装置３１の下部位置に設置された脱臭剤タンク３７に導く液送管３８が配されている。脱臭タンク３７内部には液送された脱臭剤を濾過して大きなゴミを通る濾過材３９が配され、タンク内部には液送ポンプ４０が配され、給液管４１を経て噴霧ノズル３４に給液される。
【００３９】
【発明の効果】
本発明は以上説明した通り、新規な脱臭剤及び脱臭法を得ることができるという効果がある。
【図面の簡単な説明】
【図１】排気ブロワーに配される脱臭装置の説明図である。
【図２】排気ブロワーに配される別の脱臭装置の説明図である。
【図３】衛生車の真空ポンプからの排気管路中に取付ける脱臭装置の構成を示す説明図である。
【符号の説明】
１１…排気口、
１２…排気路、
１３…スプレーノズル、
１４…開放口、
２１…排気口、
２２…排気路、
２３…スプレーノズル、
２４…吸着室、
２５…吸着材層、
２６…出口、
２７…脱臭液回収タンク、
２８…ポンプ、
３１…脱臭装置、
３２…排気管、
３３…邪魔板、
３４…噴霧ノズル、
３５…目通し板、
３６…木材チップ、
３７…脱臭剤タンク、
３８…液送管、
３９…濾過材、
４０…液送ポンプ、
４１…吸液管、
【図１】
2004160071.tif 000004
【図２】
2004160071.tif 000005
【図３】
2004160071.tif 000006